(57)【要約】【課題】シートのヘッドサポート領域に設けられるヘッドサポートのコストを抑え、メインテナンスを容易に行える、ヘッドサポートの取付構造及びそれを備えたショッピングカートを提供する。【解決手段】シート本体３１０に取り付けられるヘッドサポート３７０が、その外周縁部に複数の係合突起部３７２を備えるよう軟質樹脂で一体成形される。シート本体３１０のヘッドサポート領域３１３でヘッドサポート３７０の各係合突起部３７２に対応する位置に係合孔３１５が形成される。シート本体３１０とヘッドサポート３７０との間にクッション材３４０を挟み、ヘッドサポート３７０の各係合突起部３７２がチャイルドシートの対応する係合孔３１５に係合し、ヘッドサポート３７０がシート本体３１０に取り付けられる。【選択図】図８
2007236489.tif 000002
【特許請求の範囲】
【請求項１】
シートのヘッドサポート領域にヘッドサポートを取り付けるヘッドサポート取付構造であって、
上記ヘッドサポートがその外周縁部に複数の係合突起部を備えるよう一体成形されてなり、
上記シートのヘッドサポート領域で上記ヘッドサポートの各係合突起部に対応する位置に係合孔が形成され、
上記シートと上記ヘッドサポートとの間にクッション材を挟み、上記ヘッドサポートの各係合突起部が上記シートの対応する係合孔に係合する、ヘッドサポートの取付構造。
【請求項２】
前記ヘッドサポートは、軟質樹脂製であることを特徴とする、請求項１に記載のヘッドサポートの取付構造。
【請求項３】
カート本体と、該カート本体に取り付けられた走行輪と、上記カート本体に支持されたチャイルドシートとを備えたショッピングカートにおいて、
ヘッドサポートがその外周縁部に複数の係合突起部を備えて一体成形されてなり、
上記チャイルドシートのヘッドサポート領域で上記ヘッドサポートの各係合突起部に対応する位置に係合孔が形成され、
上記チャイルドシートと上記ヘッドサポートとの間にクッション材を挟み、上記ヘッドサポートの各係合突起部が上記チャイルドシートの対応する係合孔に係合して、上記ヘッドサポートが上記チャイルドシートに取り付けられてなる、ショッピングカート。
【請求項４】
前記ヘッドサポートは、軟質樹脂製であることを特徴とする、請求項３に記載のショッピングカート。
【発明の詳細な説明】
【技術分野】
【０００１】
本発明は、背もたれを備えたシートに対するヘッドサポートの取付構造及びそれを備えたショッピングカートに関する。
【背景技術】
【０００２】
ショッピングセンターの出入り口にはショッピングカートが準備され、顧客の利便性を図っている。ショッピングカートの中には子供が着座するチャイルドシートを備えたものがある。
【０００３】
従来、チャイルドシートは起きた状態で固定式であり、首が座っていない子供には対応できていなかった。仮にチャイルドシートを寝た状態にもできるようリクライニング機構が備わっていても、多数のショッピングカートを集積する、所謂ネスティングを行うためには、逐一チャイルドシートを起こす必要があった。
そこで、本出願人は、チャイルドシートに、前後方向に回動するリクライニング機構とチャイルドシートの状態をロックするロック機構とを備え、複数のショッピングカートをネスティングする際、後方のショッピングカートのシートの前部分が前方のショッピングカートのシートに接触することで、シートに前方への力が加わり、チャイルドシートを自動的に起こすようにすることで、解決した（特許文献１）。
【０００４】
このようなショッピングカートに備えられたチャイルドシートには、ヘッドサポート部が取り付けられている。図１０は、従来のショッピングカートに備えられるチャイルドシートのヘッドサポート部５００を模式的に示す斜視図である。従来のチャイルドシートに設けられるヘッドサポート部５００は、所定の形状に形成された基材５０１と、図示しないクッション材と、合成革でなる表皮材５０２とを備え、基材５０１にクッション材を挟んで表皮材５０２を被覆して基材裏面に折り返された表皮材５０２の開口縁部に沿って縫着してなる。基材５０１の両端部には、それぞれ一対の片部５０１Ａが突出形成され、チャイルドシートのヘッドサポート領域外周に設けられた挿込部にそれぞれ挿し込まれることで、ヘッドサポート部５００をチャイルドシートに取り付けていた。
【０００５】
ところで、特許文献２は、シートボトムクッション及びシートバッククッションに対してそれぞれ広告情報を表現した表皮材を着脱自在に取り付けた車両等の座席が、開示されている。
【０００６】
【特許文献１】特開２０００−２１９１３８号公報
【特許文献２】特開２００３−２２５１４４号公報
【発明の開示】
【発明が解決しようとする課題】
【０００７】
しかしながら、図１０に示す従来のヘッドサポート部５００は基材５０１と表皮材５０２との間にクッション材を挟んで縫い合わせてなるので、ヘッドサポート部５００の製造及び管理コストが掛かる。チャイルドシートからヘッドサポートを取り外してもヘッドサポート部５００全体を交換する必要があり、メインテナンスを安価に行えなかった。また表皮材５０２に合成皮革を用いていたので、耐摩耗性に欠け、汚れが取れ難く、清潔性にも劣る、という課題があった。
【０００８】
そこで、本発明は、上記課題に鑑み、座席のヘッドサポート領域に設けられるヘッドサポートのコストを抑え、メインテナンスを容易に行えるヘッドサポートの取付構造及びそれを備えたショッピングカートを提供することを目的とする。
【課題を解決するための手段】
【０００９】
上記目的を達成するために、本発明は、シートのヘッドサポート領域にヘッドサポートを取り付ける取付構造であって、ヘッドサポートがその外周縁部に複数の係合突起部を備えるよう一体成形されてなり、シートのヘッドサポート領域でヘッドサポートの各係合突起部に対応する位置に係合孔が形成され、シートとヘッドサポートとの間にクッション材を挟み、ヘッドサポートの各係合突起部がシートの対応する係合孔に係合することを特徴とする。この構成において、ヘッドサポートは、好ましくは軟質樹脂製である。
【００１０】
上記構成により、ヘッドが当接するヘッドサポート自体に係合突起部が形成され、クッション材を挟んで係合突起部がシートの係合孔に係合して取り付けられるので、ヘッドサポート部に基材を備える必要がない。よって、部品点数を削減し、コストを抑えることができる。メインテナンスを行う際には、ヘッドサポートをシートから取り外すことで、ヘッドサポートとクッション材とが分離されるので、必要に応じてそれぞれ容易に交換することができる。ヘッドサポートを軟質樹脂製としたことから、耐摩耗性が向上し、清掃も行い易くなる。
【００１１】
また本発明のショッピングカートは、カート本体と、カート本体に取り付けられた走行輪と、カート本体に支持されたチャイルドシートとを備え、ヘッドサポートがその外周縁部に複数の係合突起部を備えるように一体成形されてなり、チャイルドシートのヘッドサポート領域でヘッドサポートの各係合突起部に対応する位置に係合孔が形成され、チャイルドシートとヘッドサポートとの間にクッション材を挟み、ヘッドサポートの各係合突起部がチャイルドシートの対応する係合孔に係合して、ヘッドサポートがチャイルドシートに取り付けられてなることを特徴とする。この構成において、ヘッドサポートは、好ましくは軟質樹脂製である。
【００１２】
上記構成によれば、子供のヘッドが当接するヘッドサポート自体に係合突起部が形成され、クッション材を挟んで係合突起部がチャイルドシートの係合孔に係合して取り付けられる。よって、ヘッドサポート部に基材を備える必要がなく、部品点数を削減し、コストを抑えることができる。メインテナンスを行う際には、ヘッドサポートをチャイルドシートから取り外すことで、ヘッドサポートとクッション材とが分離されるので、必要に応じてそれぞれ容易に交換することができる。ヘッドサポートを軟質樹脂製としたことから、耐摩耗性が向上し、清掃も行い易くなる。
【発明の効果】
【００１３】
本発明によれば、表皮材として機能するヘッドサポートに直接シートやチャイルドシートに取り付けるための係合突起部を設け、取り付け時にクッション材を挟んでヘッドサポートの係合突起部をシートやチャイルドシートに設けられた対応する係合孔に突起部が挿入されて係合する。従って、従来のようなヘッドサポート部における基材が不要となり、取り外し作業のみで、ヘッドサポートとクッション材とが分離する。よって、ヘッドサポートの製造コストやメインテナンスのコスト削減を図ることができる。ヘッドサポートに軟質樹脂を用いたので、汚れを落としやすく清潔感を容易に保つことができる。
【発明を実施するための最良の形態】
【００１４】
以下、図面に基づいて、本発明の実施形態を説明する。
図１は本発明の実施形態に係るショッピングカート１０の前方斜視図、図２は図１のショッピングカート１０の後方斜視図、図３は図１のショッピングカート１０の正面図、図４は図１のショッピングカート１０の側面図である。図中のＦｒはショッピングカート前方を、Ｕｐは上方を、Ｗはショッピングカートの横幅方向を示す。これらの図に示すように、ショッピングカート１０は、カート本体１００とそれに取り付けた走行輪２００とカート本体１００に支持されたチャイルドシート３００とを備えている。
【００１５】
ショッピングカート１０を構成するカート本体１００は、複数の鋼製等のパイプを折り曲げ、それらを相互に溶接により接合したフレームとして構成されている。具体的には、カート本体１００は、ベースフレーム１１０と、ベースフレーム１１０から立設していて主としてチャイルドシート３００を支持するシート支持フレーム１２０と、このシート支持フレーム１２０の後側に配設されていると共にベースフレーム１１０から立設して使用者がショッピングカート１０を押す際に把持するハンドルフレーム１３０と、から構成されている。
【００１６】
各フレーム１１０，１２０，１３０の詳細を下記に説明する。
ベースフレーム１１０は、「ハ」の字状に互いの間隔が前方に行くにつれて狭くなるように水平に並設した一対の直線状の棒材１１１Ｒ，１１１Ｌと、これらの各棒材１１１Ｒ，１１１Ｌの前端を連結するように横幅水平方向に直線状に延出した第１連結棒材１１２と、から構成されている。
【００１７】
ベースフレーム１１０は、例えば、一本の棒状の鋼材を折り曲げて、一対の棒材１１１Ｒ，１１１Ｌと第１連結棒材１１２とが一体となって構成されてもよいし、一対の棒材１１１Ｒ，１１１Ｌと第１連結棒材１１２とを別々に製造し、それらを接合して一体物として構成されたものでもよい。各棒材１１１Ｒ，１１１Ｌと第１連結棒材１１２とで形成されるコーナーは円弧状に湾曲して形成されている。
【００１８】
ベースフレーム１１０には、左右の棒材１１１Ｒ，１１１Ｌの後端に近接した位置において、これら左右の棒材１１１Ｒ，１１１Ｌに第１架設材１１４が架設されている。この第１架設材１１４は、左右の棒材１１１Ｒ，１１１Ｌに接合されていて上方へ立ち上がった起立部１１４Ｒ，１１４Ｌと、各起立部１１４Ｒ，１１４Ｌの上端部を連結するように横幅水平方向に直線状に延出した横部１１４Ｃと、から構成されている。上記ベースフレーム１１０にはまた、第１連結棒材１１２の内周面と第１架設材１１４とに掛け渡すように、また、左右の棒材１１１Ｒ，１１１Ｌの先端寄りの内周面と第１架設材１１４とに掛け渡すように、複数の金属棒部１１５が配設されている。
【００１９】
複数の金属棒部１１５は互いに略平行に前後方向に延出していて、その前端又は後端が隣接する金属棒の前端又は後端と繋がっているように、一本の金属棒を前後に複数回折り返して形成されたものである。また、各金属棒部１１５は、先端から中間部位までが後方にいくにつれてゆるやかに高くなるよう傾いた緩斜部１１５Ａと、緩斜部１１５Ａの後端から後方に向けて急に上向きに傾斜した段差部１１５Ｂと、段差部１１５Ｂの後端から後方に向けて水平に延出した水平部１１５Ｃと、を備えていて、これらの金属棒部１１５上に荷物を載置することができるようになっている。特に、複数の金属棒部１１５の水平部１１５Ｃは、相互に協働して買い物かご（図示省略）を載置する台座として機能する。各水平部１１５Ｃに載置した買い物かごが後方に移動して落下するのを防止するために、隣接する金属棒部１１５同士の連結した後端部が斜め後方に傾斜して、ストッパー１１５Ｓが形成されている。各金属棒部１１５の水平部１１５Ｃは、前述の第１架設材１１４に固定されて下から支持されている。各金属棒部１１５の緩斜部１１５Ａも、横幅水平方向に直線状に延出した第２架設材１１７に溶接によって接合されていて、各金属棒部１１５の剛性が高められている。
【００２０】
シート支持フレーム１２０は、ベースフレーム１１０の左右の各棒材１１１Ｒ，１１１Ｌの後端から各棒材１１１Ｒ，１１１Ｌの全長の１／４程度の距離前方に離れた位置に下部が固定されていて上方へ起立した第１垂直棒材１２１Ｒ，１２１Ｌと、各第１垂直棒材１２１Ｒ，１２１Ｌの上端から斜め前方へ延出した第１傾斜棒材１２２Ｒ，１２２Ｌと、各第１傾斜棒材１２２Ｒ，１２２Ｌの上端を連結するように横幅水平方向に直線状に延出した第２連結棒材１２３と、から構成されている。左右の各第１傾斜棒材１２２Ｒ，１２２Ｌは、図３に示すように、上方にいくにつれて相互の間隔が狭くなるように、幅方向内側にも緩やかに傾斜している。
【００２１】
シート支持フレーム１２０は、例えば、一本の棒状の鋼材を折り曲げて、一対の第１垂直棒材１２１Ｒ，１２１Ｌ，一対の第１傾斜棒材１２２Ｒ，１２２Ｌ，第２連結棒材１２３とが一体となって構成されてもよく、一対の第１垂直棒材１２１Ｒ，１２１Ｌ，一対の第１傾斜棒材１２２Ｒ，１２２Ｌ，第２連結棒材１２３とを別々に製造し、それらを接合した一体物として構成されてもよい。各第１垂直棒材１２１Ｒ，１２１Ｌと第１傾斜棒材１２２Ｒ，１２２Ｌとで形成されるコーナーと、第１傾斜棒材１２２Ｒ，１２２Ｌと第２連結棒材１２３とで形成されるコーナーも円弧状に湾曲して形成されている。
【００２２】
ハンドルフレーム１３０は、ベースフレーム１１０の左右の各棒材１１１Ｒ，１１１Ｌの後端に下部が接合していて上方へ起立した第２垂直棒材１３１Ｒ，１３１Ｌと、各第２垂直棒材１３１Ｒ，１３１Ｌの上端から斜め前方へ延出した第２傾斜棒材１３２Ｒ，１３２Ｌと、各第２傾斜棒材１３２Ｒ，１３２Ｌの上端から斜め後方へ延出した第３傾斜棒材１３３Ｒ，１３３Ｌと、各第３傾斜棒材１３３Ｒ，１３３Ｌの上端を連結するように横幅水平方向に直線状に延出した第３連結棒材１３４と、から構成されている。左右の各第２傾斜棒材１３２Ｒ，１３２Ｌ及び第３傾斜棒材１３３Ｒ，１３３Ｌは、図３に示すように、上方にいくにつれて相互の間隔が狭くなるように、幅方向内側にも緩やかに傾斜している。
【００２３】
ハンドルフレーム１３０も、例えば、一本の棒状の鋼材を折り曲げて、一対の第２垂直棒材１３１Ｒ，１３１Ｌ，一対の第２傾斜棒材１３２Ｒ，１３２Ｌ，一対の第３傾斜棒材１３３Ｒ，１３３Ｌ，第３連結棒材１３４とが一体となって構成されてもよいし、一対の第２垂直棒材１３１Ｒ，１３１Ｌ，一対の第２傾斜棒材１３２Ｒ，１３２Ｌ，一対の第３傾斜棒材１３３Ｒ，１３３Ｌ，第３連結棒材１３４とを別々に製造し、それらを接合した一体物として構成されたものでもよい。
【００２４】
また、各第２垂直棒材１３１Ｒ，１３１Ｌと第２傾斜棒材１３２Ｒ，１３２Ｌとで形成されるコーナーと、第２傾斜棒材１３２Ｒ，１３２Ｌと第３傾斜棒材１３３Ｒ，１３３Ｌとで形成されるコーナーと、第３傾斜棒材１３３Ｒ，１３３Ｌと第３連結棒材１３４とで形成されるコーナーも、円弧状に湾曲して形成されている。第２傾斜棒材１３２Ｒ，１３２Ｌと第３傾斜棒材１３３Ｒ，１３３Ｌとで形成されるコーナーは、シート支持フレーム１２０における第１傾斜棒材１２２Ｒ，１２２Ｌと第２連結棒材１２３とで形成されるコーナーに近接した後方位置に配置されている。
【００２５】
シート支持フレーム１２０の第２連結棒材１２３に近接した後方の位置で、ハンドルフレーム１３０の第２傾斜棒材１３２Ｒ，１３２Ｌと第３傾斜棒材１３３Ｒ，１３３Ｌとで形成される左右のコーナー同士を架設するように、第３横架材１３５が設けられている。この第３横架材１３５は、シート支持フレーム１２０の第２連結棒材１２３の後方で、第２連結棒材１２３と略平行状態で延びている。
【００２６】
ベースフレーム１１０の左右の棒材１１１Ｒ，１１１Ｌと第１連結棒材１１２とで形成されるコーナーの下側には、それぞれ走行輪２００，２００が取り付けられており、また、ハンドルフレーム１３０の各第２垂直棒材１３１Ｒ，１３１Ｌの下端部にも走行輪２００，２００が取り付けられている。これにより、ショッピングカート１０は、前輪２つと後輪２つとを備える構造となり、各車輪が転動するとともに、各車輪が鉛直軸まわりに３６０度回転可能に支持されていることで、全ての方向に移動可能で且つ旋回可能になっている。
【００２７】
シート支持フレーム１２０の第２連結棒材１２３と、ハンドルフレーム１３０の第３横架材１３５との上にはチャイルドシート３００の下部が固定されている。このチャイルドシート３００は前向き状態でカート本体１００に装着されている。チャイルドシート３００は、シート本体３１０と、シート本体３１０に揺動可能に取り付けたガード３５０とを備えている。
【００２８】
シート本体３１０は合成樹脂により形成されており、子供を収容する収容部３１１と、この収容部３１１の背面を覆うカバー３１２とから構成されている。収容部３１１は、図示するように、背もたれ部３１１Ａ、座部３１１Ｂ、肘置きガード部３１１Ｃとで一体に形成されており、それらに囲まれて収容空間Ｓが画成されている。なお、背もたれ部３１１Ａの子供の頭部が当接する部位には、ヘッドサポート３７０が設けられている。
【００２９】
ガード３５０は、収容部３１１に入った子供がチャイルドシート３００から脱落するのを防止するためのものであり、ガード３５０と背もたれ部３１１Ａとに通した腰ベルト３８０で子供の胴体を拘束するループを形成し、ベルト３８０の長さを調節して、座部３１１Ｂに着座した子供がチャイルドシートから脱落するような動作を規制する。
【００３０】
上記チャイルドシート３００には、リクライニング機構が内蔵されており、チャイルドシート３００の背面のカバー上部に取り付けられているレバー３９０を操作することで、チャイルドシート自体の傾斜角度を変えることができる。
【００３１】
ショッピングカート１０の先端部、即ちベースフレーム１１０の第１連結棒材１１２には、壁などの障害物との衝突を緩和するために、ゴムなどの緩衝部材１１８が装着されている。また、ハンドルフレーム１３０の金属製の第３連結棒材１３４には、使用者がハンドルフレーム１３０を握り易くするために、合成樹脂製のグリップ１３８が装着されている。
【００３２】
このように構成されたショッピングカート１０は、後方から前方にいくにつれて幅が狭くなるとともに、高さも前方に行くにつれて低くなるように構成されている。このため、ショッピングカート１０は、他のショッピングカート１０の後方から前後に重ねること、即ちネスティングを行えるようになっている。即ち、不使用時に他のショッピングカート１０の後方から別のショッピングカート１０を近づけると、後方のショッピングカート１０の前端部、即ちベースフレーム１１０の前側部分が、前方のショッピングカート１０の拡開したベースフレーム１１０の後部内に進入する。これにより、複数のショッピングカート１０を前後にネスティングを行えることができる。
【００３３】
以上のように、本発明の実施形態に係るショッピングカート１０の基本構成を説明したが、本発明の実施形態に係るショッピングカート１０においては、シート本体３１０の背部３１１Ａへのヘッドサポート３７０の取付構造の点に特徴がある。以下、詳細に説明する。
【００３４】
図５は本発明の特徴を示すシート本体３１０及びヘッドサポート３７０を示す斜視図、図６は図５に示すシート本体３１０のＸ部分の拡大図、図７は図５に示すヘッドサポート３７０のＹ部分の拡大図である。図中のＦｒはシート本体３１０前方を、Ｕｐは上方を、Ｗはシート本体の横幅方向を示す。
チャイルドシート３００のシート本体３１０において、収容部３１１の背部３１１Ａは収容する子供の胴体や頭を支持するように収容空間Ｓが画成されるよう形成されている。収容部３１１の背部３１１Ａには、ヘッドサポート３７０を装着する領域３１３（以下、「ヘッドサポート領域」という。）の外周縁全体に挿入凹部３１４が形成されている。挿入凹部３１４には間隔を開けて、好ましくは等間隔に、複数の係合孔３１５が形成されている。図６に部分的に拡大して示しているように、挿入凹部３１４が内側壁部３１４Ａと外側壁部３１４Ｂと溝底部３１４Ｃとで形成され、溝底部３１４Ｃを部分的に切り欠いて係合孔３１５が形成されている。また、挿入凹部３１４で係合孔３１５の形成されている箇所は、外側壁部３１４Ａの溝底部側を部分的に切り欠いて係止部３１６が形成されている。係止部３１６は、図示した形態に限らず、内側壁部３１４Ａを部分的に切り欠いて形成されてもよい。また、係止部３１６は、内側壁部３１４Ａと外側壁部３１４Ｂとの何れか一方だけでなく、係合孔一つおきに内側壁部３１４Ａ及び外側壁部３１４Ｂの双方に設けるようにしてもよい。
【００３５】
一方、ヘッドサポート３７０は、装着される収容部３１１の背部３１１Ａのヘッドサポート領域３１３の形状、即ち略湾曲状に沿うように略舟形に形成されている。ヘットサポート３７０の外周縁部３７１は、図７に示すように、裏側に滑らかに張り出し、ヘッドサポート３７０の裏側に浅い凹み空間３７０Ａを画成している。外周縁部３７１にはヘッドサポート３７０の外周縁に沿って間隔を開けて、好ましくは等間隔に、係合突起部３７２が外側方向に向けて突出して形成されている。なお、外周縁部３７１に設ける係合突起部３７２の位置は、収容部３１１の挿入凹部３１４に形成された係合孔３１５の位置に対応するよう設定される。ヘッドサポート３７０の係合突起部３７２の先端部は、爪状に引掛部３７２Ａが形成されている。なお、ヘッドサポート３７０の外周縁部３７１はシート本体３１０に形成された挿入凹部３１４に挿入されるが、引掛部３７２Ａは、挿入凹部３１４に形成された対応する係止部３１６の向き、即ち、挿入凹部３１４を形成する内側壁部３１４Ａ及び外側壁部３１４Ｂの何れかに向けて形成される。
【００３６】
ここで、ヘッドサポート３７０の素材には、例えばエチレン酢酸ビニル共重合樹脂（ＥＶＡ）のような弾力のある軟質樹脂が用いられる。また、ヘッドサポート３７０は、外周縁部３７１に係合突起部３７２を備えるよう、通常の成形法、例えば、加熱により流動した樹脂を金型内部に射出し金型で冷却して成形品を得る所謂インクジェット成形により、容易に製造することができる。これにより、ヘッドサポート３７０は従来のような合成皮革で作製された表皮材と比べ汚れが取れ易く、また、係合突起部３７２と一体成形することができ、製造に掛かるコストを抑えることができる。
【００３７】
以上のようにシート本体３１０及びヘッドサポート３７０が構成され、シート本体３１０にヘッドサポート３７０が取り付けられる。
図８は本発明の特徴であるヘッドサポート３７０のシート本体３１０への取付構造を示す断面図、図９は図８に示す取付構造のＺ部分の拡大図である。図８及び図９に示すように、シート本体３１０のヘッドサポート領域３１３に所定厚みのクッション材３４０を挟んでヘッドサポート３７０を取り付ける。クッション材３４０は、ヘッドサポート３７０の凹み空間３７０Ａに収容される。このとき、ヘッドサポート３７０の外周縁部３７１をシート本体３１０の挿入凹部３１４に挿入し、ヘッドサポート３７０の外周縁部先端に形成された係合突起部３７２が、シート本体３１０の挿入凹部３１４に形成された係合孔３１５に嵌合する。そして、ヘッドサポート側の係合突起部３７２の引掛部３７２Ａがシート本体側の外側壁部３１４Ｂの係止部３１６に引っ掛かることで、ヘッドサポート３７０がシート本体３１０に取り付けられる。
ここで、ヘッドサポート３７０の取り付けに際しては、クッション材３４０の裏面に両面テープなどでシート本体３１０に仮止めすることで、クッション材３４０が凹み空間３７０Ａから脱落しないで、シート本体３１０とヘッドサポート３７０との間にクッション材３７０を挟みこむことができる。
【００３８】
なお、シート本体３１０には、図５に示すように、背部３１１Ａの上部に、縦横の格子３１７が形成され、シート本体３１０とヘッドサポート３７０との間に挟まれるクッション材３４０の湿気などを自然に調整することができるようになっているほか、シート本体３１０からヘッドサポート３７０を取り外す際にも格子孔が利用される。また、シート本体には、図８に示されているように、適宜リブ３１８が形成されて、強度が補強されている。
【００３９】
以上説明したように、シート本体３１０のヘッドサポート領域３１３の外周縁に係合孔３１５を設け、ヘッドサポート３７０の外周縁部３７１に間隔を開けて係合突起部３７２を設け、シート本体３１０とヘッドサポート３７０の間にクッション材３４０を挟んでシート本体側の係合孔３１５にヘッドサポート３７０の係合突起部３７２を嵌合して係止部３１６がヘッドサポート３７０の引掛部３７２Ａを係止することで、シート本体３１０にヘッドサポート３７０が取り付けられる。
【００４０】
よって、図７に示す従来例のように、予め基材５０１と表皮材５０２との間にクッション材を挟んで縫い合わせてヘッドサポート部５００を構成する必要はない。ヘッドサポート部５００の基材５０１も不要となり、ヘッドサポート部の構成部材が少なくなる。また、ヘッドサポートの素材として合成革を使用せず、エチレン酢酸ビニル共重合樹脂のような軟質樹脂を用いているので、凹み空間３７０Ａを画成する外周縁部３７１や係合突起部３７２をインジェクション成形などの成形法により容易に一体形成することができるので、製造に掛かるコストを削減することもできる。
また、ヘッドサポート３７０とクッション材３４０とは必然的に分離されるので、ヘッドサポート３７０及びクッション材３４０の何れか一方のみを容易に交換することができる。また、ヘッドサポート３７０が軟質樹脂製であるため磨耗し難く、付着した汚れを容易に拭き取れ、クリーニングなどの清掃性などのメインテナンス性に優れている。
【００４１】
また、上記説明にした実施形態では、チャイルドシート３００のシート本体３１０に挿入凹部３１４がヘッドサポート３７０の外周縁部３７１が部分的に挿入され、挿入凹部３１４を形成する内側壁部３１４Ａ及び外側壁部３１４Ｂがヘッドサポート３７０の外周縁部３７１を挟み保持する。よって、ヘッドサポート３７０とシート本体３１０の背部３１１Ａ表面との間に隙間を生じないので、ヘッドサポート３７０がシート本体３１０から容易に抜けない。
【００４２】
以上説明した実施形態では、ショッピングカート１０に適用した場合を説明したが、ショッピングカートはショッピングワゴンとも呼ばれ、適宜、特許請求の範囲に記載した発明の範囲内で種々変更が可能である。本発明は、カーシートに装着される所謂チャイルドシートやベビーカーやベビー歩行器やハウジングラックなどの子供用の座席のみならず、児童用、生徒用や大人用の座席に対するヘッドサポートの取り付けの場合にも適用できることは言うまでもない。例えば、本発明の適用に応じ、クッション材を厚くするためにシート本体の挿入凹部の内側にクッション材の一部を収容するための凹みを設けるようにしてもよい。
【図面の簡単な説明】
【００４３】
【図１】本発明の実施形態に係るショッピングカートの前方斜視図である。
【図２】図１のショッピングカートの後方斜視図である。
【図３】図１のショッピングカートの正面図である。
【図４】図１のショッピングカートの側面図である。
【図５】本発明の特徴を示すシート本体及びヘッドサポートを示す斜視図である。
【図６】図５に示すシート本体のＸ部分の拡大図である。
【図７】図５に示すヘッドサポートのＹ部分の拡大図である。
【図８】本発明の特徴であるヘッドサポートのシート本体への取付構造を示す断面図である。
【図９】図８に示す取付構造のＺ部分の拡大図である。
【図１０】従来のショッピングカートに備えられるチャイルドシートのヘッドサポート部を模式的に示す斜視図である。
【符号の説明】
【００４４】
１０  ショッピングカート
１００  カート本体
１１０  ベースフレーム
１１１Ｒ，１１１Ｌ  棒材
１１２  第１連結棒材
１１４  第１架設材
１１４Ｒ，１１４Ｌ  起立部
１１４Ｃ  横部
１１５  金属棒部
１１５Ａ  緩斜部
１１５Ｂ  段差部
１１５Ｃ  水平部
１１５Ｓ  ストッパー
１１８  緩衝部材
１２０  シート支持フレーム
１２１Ｒ，１２１Ｌ  第１垂直棒材
１２２Ｒ，１２２Ｌ  第１傾斜棒材
１２３  第２連結棒材
１３０  ハンドルフレーム
１３１Ｒ，１３１Ｌ  第２垂直棒材
１３２Ｒ，１３２Ｌ  第２傾斜棒材
１３３Ｒ，１３３Ｌ  第３傾斜棒材
１３４  第３連結棒材
１３５  第３横架材
１３８  グリップ
２００  走行輪
３００  チャイルドシート
３１０  シート本体
３１１  収容部
３１１Ａ  背部
３１１Ｂ  座部
３１１Ｃ  肘置きガード部
３１２  カバー
３１３  ヘッドサポート領域
３１４  挿入凹部
３１４Ａ  内側壁部
３１４Ｂ  外側壁部
３１４Ｃ  溝底部
３１５  係合孔
３１６  係止部
３１７  格子
３１８  リブ
３４０  クッション材
３５０  ガード
３７０  ヘッドサポート
３７０Ａ  凹み空間
３７１  外周縁部
３７２  係合突起部
３７２Ａ  引掛部
３８０  ベルト
３９０  レバー
Ｓ  収容空間
【図１】
2007236489.tif 000003
【図２】
2007236489.tif 000004
【図３】
2007236489.tif 000005
【図４】
2007236489.tif 000006
【図５】
2007236489.tif 000007
【図６】
2007236489.tif 000008
【図７】
2007236489.tif 000009
【図８】
2007236489.tif 000010
【図９】
2007236489.tif 000011
【図１０】
2007236489.tif 000012